(57)【要約】【課題】  ソファーやベッドとして用いることができ、座り心地も寝心地もよい適度なクッション性を兼ね備え、しかも、取り扱いが簡単で、コストの低廉化も図ることができるソファー兼用ベッドを提供する【解決手段】  このソファー兼用ベッドは、その長手方向に沿って３分割された３つのブロック２０で構成され、該各ブロック２０は、２つに分かれた弾性体３０と、該各弾性体３０をそれぞれ包み込んで２つに折曲可能に連結する袋状のカバー４０とで構成されており、カバー４０に収容された各弾性体３０は、発泡ポリエチレン層３４と、発泡ポリウレタン層３３と、表面に多数の凹凸を有する形状に成形された凹凸シート層３２とを積層して構成され、各ブロック２０は、凹凸シート層３２が内側に向いた状態で折曲可能とされていることを特徴とする。【選択図】  図２
2005318974.tif 000002
【特許請求の範囲】
【請求項１】
ソファーにもなりベッドにもなるソファー兼用ベッドにおいて、その長手方向に沿って３分割された３つのブロックで構成され、該各ブロックは、２つに分かれた弾性体と、該各弾性体をそれぞれ包み込んで２つに折曲可能に連結する袋状のカバーとで構成されており、
前記カバーに収容された前記各弾性体は、発泡ポリエチレン層と、発泡ポリウレタン層と、表面に多数の凹凸を有する形状に成形された凹凸シート層とを積層して構成され、前記各ブロックは、前記凹凸シート層が内側に向いた状態で折曲可能とされていることを特徴とするソファー兼用ベッド。
【請求項２】
前記弾性体は、前記凹凸シート層の外側に、更に発泡ポリウレタンシート層を有する
請求項１記載のソファー兼用ベッド。
【請求項３】
前記凹凸シート層は、フェルトと発泡ポリウレタンシートとを積層し、プレス成形して形成された請求項１又は２記載のソファー兼用ベッド。
【請求項４】
前記発泡ポリエチレン層と前記発泡ポリウレタン層には、厚さ方向に貫通する複数の通気孔が形成されている請求項１〜３のいずれか１つに記載のソファー兼用ベッド。
【発明の詳細な説明】
【技術分野】
【０００１】
本発明は、一般家庭等において、ソファーやベッドとして用いることができるソファー兼用ベッドに関する。
【背景技術】
【０００２】
近年、日本においてもフローリングの部屋が目立つようになっており、ベッドを使用して寝ている人が多くなっている。また、リラックスして、テレビを見たり、読書をしたりする場合の家具として、ソファーが広く用いられている。そして、ベッドは寝室等に設置され、ソファーはリビング等に設置されるのが一般的であるが、どちらも大きな設置スペースが必要となっている。ところが我国においては、部屋の広さや部屋数に余裕がある家庭は元々少なく、また、近年のライフスタイルの変遷により一人暮らしをする人も多くなってきており、この場合も、部屋の広さや部屋数には余裕がないことが多い。
【０００３】
そのため、ソファー及びベッドの双方を設置したいと思っても、快適性、居住性を考慮すると、結局断念してしまうことが多かった。したがって、ソファーとしても、ベッドとしても用いることができる製品が実用化されている。
【０００４】
例えば、下記特許文献１には、上面が開口したほぼ箱状のベッド本体の上部に天板が前記開口を開閉するように取付けられ、かつ一列に配列されると所定サイズのベッドを構成する複数のベッド構成体を備え、各ベッド構成体の前記天板上にはクッション体がそれぞれ設けられており、各クッション体は、前記ベッド本体の幅方向に並んで配置された固定部と非固定部とを備え、前記固定部は前記天板に固定され、一方、前記非固定部は、前記固定部に対して、リクライニング機構により水平状態から傾斜状態に可逆的に前記幅方向に回動可能な背もたれ部であることを特徴とする収納型ベッドが開示されている。
【０００５】
ところで、日本古来の畳敷きの和室においては、マットレスを畳みの上に敷いて、その上に敷布団、及び、掛布団を敷いて寝るのが一般的である。これらの布団等は、通常は夜寝る前に敷き、朝起きたらたたんで押し入れにしまわれ、折り畳みができるようになっている。そこで、折り畳みが可能であることに着目して、変形させてソファーの形状にすることで、ソファーとしても利用可能な寝具が開発されている。
【０００６】
例えば、下記特許文献２には、中芯材とこれを取り巻く布団材とから成る独立した複数の中芯分割体と、該複数の中芯分割体相互間を連結する連結帯とから成る敷寝具であって、該複数の中芯分割体が敷寝具の長手方向に並置され、且つ並置された隣接する中芯分割体同士が、一方は片方の中芯分割体の上面に係合され他方は該片方の中芯分割体に隣接する他方中芯分割体の下面に係合された連結帯部Ａと、一方は該片方の中芯分割体の下面に係合され他方は該片方の中芯分割体に隣接する中芯分割体の上面に係合された連結帯部Ｂとから成る少なくとも一対の連結構造を構成する該連結帯によって、相互に連結されていることを特徴とする折り畳み自在な敷寝具が開示されている。
【特許文献１】特開２０００−３００３８８号公報
【特許文献２】特開２０００−２７９２７５号公報
【発明の開示】
【発明が解決しようとする課題】
【０００７】
しかしながら、上記特許文献１の収納型ベッドは、ベッド本体、天板、複数のベッド構成体等から構成され、上記特許文献２の敷寝具は、複数の中芯分割体と、この複数の中芯分割体相互間を連結する連結帯とから構成されている。これらはともに、構成部材が多く、製造コストも高くなる傾向にあった。また、ベッド・敷寝具からソファー、ソファーからベッド・敷寝具に変形させる作業は意外に面倒で、しかも取り扱いも容易ではなく、使用者が手軽に利用できるとは言い難かった。
【０００８】
ところで、ソファーと、ベッド等とではクッション性が必要な点で共通しているが、その使用方法は大きく異なる。
【０００９】
すなわち、ソファーは、腰掛けて背もたれに寄りかかって使用される。この際、使用者の体重が集中して加わるので、へたりやすい。また、使用者は、好みに応じて深く腰掛けたり、浅く腰掛けたりする。特に浅く腰掛けた場合、ソファーの端部に体重が集中して、端部が潰れてしまうことがあり、形状が崩れやすかった。更に、ソファーとしてはクッション性が良すぎて、腰掛けた際に極端に沈みこんでしまうことは好ましくない。したがって、ソファーは、やや硬めのクッション性を有する材料にて製造されることが多い。
【００１０】
一方、ベッドの場合、横になって寝そべって使用される。この際、使用者の体重は分散されるので、ソファーのように形状がくずれたり、へたったりすることは少ない。そのため、ソファーと同じような硬めのクッション性は必要なく、むしろベッドとしては、寝心地がよいことが求められるので、柔らかなクッション性を有する材料にて製造されることが多い。
【００１１】
このように、ソファーとベッドとでは、必要とされるクッション性は異なるので、用いられる材料も当然相異する。しかしながら、上記引例１及び２の発明においては、そのことに何ら着眼しておらず、仮に、ベッドとしては寝心地がよいクッション性を有していても、ソファーとして座り心地がよいクッション性は得られていなかった。
【００１２】
したがって、本発明の目的は、ソファーやベッドとして用いることができ、座り心地も寝心地もよい適度なクッション性を兼ね備え、しかも、取り扱いが簡単で、コストの低廉化も図ることができるソファー兼用ベッドを提供することにある。
【課題を解決するための手段】
【００１３】
上記課題を解決するため、本発明のソファー兼用ベッドは、ソファーにもなりベッドにもなるソファー兼用ベッドにおいて、その長手方向に沿って３分割された３つのブロックで構成され、該各ブロックは、２つに分かれた弾性体と、該各弾性体をそれぞれ包み込んで２つに折曲可能に連結する袋状のカバーとで構成されており、前記カバーに収容された前記各弾性体は、発泡ポリエチレン層と、発泡ポリウレタン層と、表面に多数の凹凸を有する形状に成形された凹凸シート層とを積層して構成され、前記各ブロックは、前記凹凸シート層が内側に向いた状態で折曲可能とされていることを特徴とする。
【００１４】
本発明によれば、ソファー兼用ベッドを構成している３分割された各ブロックは、２つの弾性体に分かれ、更にこの弾性体が袋状のカバーに包み込まれた状態で連結しているので、各ブロックは２つに折り曲げることができるようになっている。したがって、例えば、各ブロックの弾性体の一方を折り曲げて、部屋の壁等に寄りかからせることによって、ソファーとして使用することができ、一方、折り曲げずに各ブロックをそのままの状態にしておくことによって、ベッドとして使用することができる。
【００１５】
また、カバーに収容された各弾性体は、発泡ポリエチレン層と、発泡ポリウレタン層と、表面に多数の凹凸を有する形状に成形された凹凸シート層とを積層して構成されている。したがって、比較的硬めの材料である発泡ポリエチレン層によって、弾性体全体の剛性を高めることができ、その上に配置された柔らかな発泡ポリウレタン層によってクッション性を確保することができるので、柔らかすぎず硬すぎず、適度なクッション性が得られる。
【００１６】
更に、発泡ポリウレタン層の上には、凹凸シート層が配置されているので、使用者との間に空隙が形成され、通気性を確保することができる。そのため、発汗等によるムレを防止し、寝心地を向上させることができ、いわゆる床ずれを予防可能となる。また、凹凸シート層の凸部分によって、指圧代用効果も期待できる。
【００１７】
以上のように、剛性、クッション性、通気性を兼ね備えた弾性体をカバーに包み込んだので、形状がくずれにくくて座り心地も良好なソファーとして用いることができ、しかも、通気性が良くて寝心地も良好なベッドとしても用いることができ、ソファーとしてもベッドとしても、好適なソファー兼用ベッドを得ることができる。
【００１８】
また、各ブロックは、凹凸シート層が内側に向いた状態で、折り曲げられるようになっているので、各ブロックの弾性体の一方を完全に折り曲げれば、弾性体が重なって高さが増し、比較的硬い材料である、発泡ポリエチレン層が外側に配置されるようになる。したがって、ある程度重い物を置いたり、書き物をしたりできるテーブルとして利用可能となる。
【００１９】
更に、本発明のソファー兼用ベッドは、長手方向に３分割にされており、各ブロックは、それぞれ独立している。また、各ブロックは多層構造となっており、従来、広く用いられているポリウレタン単層のベッドと比較して、軽くなっている。そのため、各ブロックは比較的軽量で、その一つ一つについて、折り曲げ作業をしてソファーやテーブルに変形させればよいので、取り扱いが簡単で手軽に作業ができる。更に、部屋の隅などに片付けたり、押し入れにしまったりする場合にも、容易に取り扱え作業も手軽なので面倒になることもない。このように、使用者の好みや用途に応じて、適宜折り曲げ作業をおこなって、部屋のスペースを有効に活用することができる。また、本発明のソファー兼用ベッドは、構造が比較的シンプルで構成部材も少ないので、製造コストの低廉化が図れる。
【００２０】
本発明においては、前記弾性体は、前記凹凸シート層の外側に、更に発泡ポリウレタンシート層を有することが好ましい。
【００２１】
これによれば、凹凸シート層が発泡ポリウレタンシート層によって覆われることになるので、凹凸シート層の凹凸形状が、そのままカバー表面に表れることがなく、美観を保つことができる。また、使用者によっては、凹凸シート層の凸部分により痛みを感じる場合もあるので、そのような際にも使用者に不快感を与えることがなくなる。
【００２２】
また、本発明においては、前記凹凸シート層は、フェルトと発泡ポリウレタンシートとを積層し、プレス成形して形成されたことが好ましい。
【００２３】
これによれば、フェルトによって通気性を確保することができる。しかも、フェルトに発泡ポリウレタンシートを積層させて、プレス成形したので、フェルト単独では得られない形状復元性を具備することができる。したがって、使用者が腰掛けたり、寝そべったりした場合でも、凹凸形状を潰さずに、元の形状を維持することができるようになる。
【００２４】
更に、本発明においては、前記発泡ポリエチレン層と前記発泡ポリウレタン層には、厚さ方向に貫通する複数の通気孔が形成されていることが好ましい。
【００２５】
これによれば、通気性に問題がある発泡ポリエチレン層と、発泡ポリウレタン層とに通気孔を設けたので、弾性体内部の通気性を確保することができ、湿気等が溜まるのを防止する。しかも、軽量化も図ることができる。更に、床暖房、ホットカーペット等の熱が効果的に弾性体内部に侵入するようになるので、この熱を蓄熱して保温効果を発揮させることもできる。
【発明の効果】
【００２６】
本発明のソファー兼用ベッドによれば、各ブロックの弾性体の一方を折り曲げて、部屋の壁等に寄りかからせソファーとして使用でき、折り曲げずにしておけばベッドとして使用できる。そして、剛性、クッション性、通気性を兼ね備えた弾性体をカバーに包み込んだので、形状がくずれにくくて座り心地も良好なソファーとして用いることができ、しかも、通気性が良くて寝心地も良好なベッドとしても用いることができ、ソファーとしてもベッドとしても好適なソファー兼用ベッドを得ることができる。また、各ブロックの弾性体の一方を完全に折り曲げればテーブルとして利用できる。更に、各ブロックはそれぞれ独立しており、比較的軽く取り扱いが簡単なので、収納等の際にも手軽に作業可能で、部屋のスペースを有効活用でき、その構造もシンプルで構成部材も少ないので、製造コストの低廉化も図れる。
【発明を実施するための最良の形態】
【００２７】
以下、図面を参照して本発明の一実施形態を説明する。      
図１に示すように、本発明のソファー兼用ベッド１０は、長手方向に３分割された３つのブロック２０により構成されている。各ブロック２０は、２つに分かれた弾性体３０と、更に各弾性体３０をそれぞれ包み込んで、２つに折り曲げることが可能となるように連結された袋状のカバー４０とで構成されている。
【００２８】
図２，３に示すように、各弾性体３０は多層構造になっている。この実施形態の場合、上方から順番に、発泡ポリウレタンシート層３１、表面に多数の凹凸を有する形状に成形された凹凸シート層３２、発泡ポリウレタン層３３、発泡ポリエチレン層３４が積層されて構成されている。
【００２９】
発泡ポリウレタンシート層３１は、図３に示されるように、その厚さａが５〜１５ｍｍであることが好ましい。厚さａが５ｍｍより小さいと、凹凸シート層３２の凸部分により痛みを感じる場合も多くなり、使用者に不快感を与える虞れがあり、１５ｍｍより大きいと、通気性が損なわれるので好ましくない。
【００３０】
発泡ポリウレタンシート層３１の下方には、凹凸シート層３２が配置されている。この凹凸シート層３２は、フェルト３２ａと、発泡ポリウレタンシート３２ｂとが積層され、プレス成形により形成されている。この実施形態の場合、フェルト３２ａは、グラファイトシリカの鉱石を粉末にして、ポリエステルの溶液と混合させたものを５０％、一般的なポリエステル溶液を５０％の割合で混合させて繊維化し、これを更に圧縮させて製造されている。また、フェルト３２ａは、羊毛等の動物繊維を用いてシート状にしたものを用いてもよい。
【００３１】
そして、フェルト３２ａの下方には、発泡ポリウレタンシート３２ｂが重ねられ、加熱された状態にて、目的とする凹凸形状をなした金型等によってプレス成形されて、フェルト３２ａと発泡ポリウレタンシート３２ｂとが、互いに接合される。
【００３２】
そのため、フェルト３２ａによって通気性を確保することができ、しかも、フェルト３２ａに発泡ポリウレタンシート３２ｂを積層させて、プレス成形したので、フェルト単独では得られない形状復元性を具備することができる。したがって、使用者が腰掛けたり、寝そべったりした場合でも、凹凸シート層３２の凹凸形状を潰さずに、元の形状を維持することができるようになる。
【００３３】
このように形成された凹凸シート層３２によって、凹凸シート層３２の凹み部分と使用者との間に、空隙が形成されるので通気性を確保することができる。そのため、発汗等によるムレを防止し、寝心地を向上させることができ、いわゆる床ずれを予防可能となる。また、凹凸シート層３２の凸部分によって、指圧効果も期待できる。
【００３４】
更に、凹凸シート層３２を構成する、フェルト３２ａに含有されるグラファイトシリカによる遠赤外線放射性によって、血行を促進して発汗作用を高めて新陳代謝を活発にし、しかも、脱臭効果、空気の清浄作用、防菌・防かび効果等の作用効果が発揮される。
【００３５】
このような凹凸シート層３２は、凹形状の底部から、凸形状の頂部に至る高さｂが、１０〜３０ｍｍであることが好ましい。高さｂが１０ｍｍより小さいと、通気性が十分に確保できず、３０ｍｍより大きいと、凹凸形状が潰れやすくなり問題となる。
【００３６】
凹凸シート層３２の下方には、発泡ポリウレタン層３３が配置されている。この発泡ポリウレタン層３３は、比較的柔らかな材料であるので、適度なクッション性が確保されており、良好な体圧分散効果も得られるようになっている。その厚さｃは１００〜２００ｍｍであるものが好ましい。厚さｃが１００ｍｍより小さいと、適度なクッション性を確保することができず、２００ｍｍより大きいと、重くなってしまい、取り扱い性が低下してしまうことになる。
【００３７】
発泡ポリウレタン層３３の下方には、発泡ポリエチレン層３４が配置されている。この発泡ポリエチレン層３４は比較的硬めの材料であるので、弾性体３０全体の剛性を高めている。その厚さｄは１０〜５０ｍｍであるものが好ましい。厚さｄが１０ｍｍより小さいと、弾性体３０全体の剛性を十分に確保することができず、しかも、各ブロック２０の弾性体３０を２つ折りにしてテーブルとした場合に、テーブルとしても硬さが不足するので好ましくない。また、５０ｍｍより大きいと、クッション性が悪くなり問題となる。
【００３８】
そして、発泡ポリエチレン層３４と、発泡ポリウレタン層３３とには、厚さ方向に複数の通気孔３５が貫通して形成されていることが好ましい。この通気孔３５により、通気性に問題がある発泡ポリエチレン層３４と、発泡ポリウレタン層３３とに、通気性を確保することができ、皮膚接触面でのムレ等を効果的に防止することができ、しかも、軽量化も図れるようになる。
【００３９】
この通気孔３５は、この実施形態の場合、１５〜４０ｍｍの内径ｅを有しており、それらが１００〜１５０ｍｍの間隔ｆで配置されており、横方向に４個、長さ方向に４個、合計で１６個形成されている。なお、間隔ｆとは、隣り合った通気孔３５，３５の中心から中心までの距離を意味する。この場合、内径ｅが１５ｍｍより小さいと、十分な通気性を確保することができず、４０ｍｍより大きいと、強度が低下するので好ましくない。また、間隔ｆが１００ｍｍより小さいと、無駄が多く製造コストが増加してしまい、１５０ｍｍより大きいと、通気孔３５が配置できる個数が少なくなってしまい、十分な通気性を確保することができず好ましくない。
【００４０】
以上説明した、凹凸シート層３２、発泡ポリウレタン層３３、発泡ポリエチレン層３４は、接着材等で相互に接合される。そして、凹凸シート層３２の上には、発泡ポリウレタンシート層３１が配置され、この状態でカバー３６に包み込まれることとなる。なお、この実施形態の場合、発泡ポリウレタンシート層３１を凹凸シート層３２の上に配置しているが、取り外して用いてもよい。また、カバー３６の側面には図示しないチャック等が設けられており、弾性体３０の挿入作業が容易となっている。
【００４１】
なお、発泡ポリウレタンシート層３１、凹凸シート層３２を構成する発泡ポリウレタンシート３２ｂ、発泡ポリウレタン層３３を構成する材料を、例えば、ポリエチレンやポリプロピレン等のオレフィン系の樹脂を用いてもよく、発泡ポリエチレン層３４を構成する材料を、ポリプロピレン等としてもよい。
【００４２】
そして、上述の各弾性体３０を２つ組み合わせて、それらを袋状のカバー４０によって包み込んで、各ブロック２０が構成されている。カバー４０は、ソファー兼用ベッド１０の幅方向のほぼ中間にて２分割されており、それらに各弾性体３０が収納されて、２つに折り畳むことができるようになっている。このカバー４０の側面には図示しないチャック等が設けられ、カバー４０が汚れたときに、カバー３６ごと各弾性体３０を取り出して、カバー４０を洗濯可能となっている。
【００４３】
また、カバー４０は、全体が綿地で形成されており、更にこの実施形態の場合、表面に発泡セラミックプリントが施されている。したがって、血行促進作用、脱臭効果、空気の清浄作用、防菌・防かび効果等の作用効果が発揮されるようになる。
【００４４】
更に、図１、２に示されるように、各ブロック２０の角には、その厚さ方向に沿って、丸みを帯びた形状が施されている。このため、各ブロック２０を構成する各弾性体３０には、隣り合った角部と角部との２箇所に、その厚さ方向に沿って、丸みを帯びた形状が施されている。そして、各弾性体３０，３０を、丸みが付されていない面を向き合わせた状態でカバー４０に挿入されて、丸みを帯びた各ブロック２０が構成される。なお、カバー３６，４０にも、弾性体３０の丸み形状に対応した、丸み形状が施されている。
【００４５】
このように、各ブロック２０の角を、丸みを帯びた形状を施したことにより、従来のベッドやソファーに比べて、デザイン性がよくなり、また、角に生じやすい、しわを極力少なくすることができ、更に、カバー３６，４０に、各弾性体３０を挿入しやすくなるといった効果が得られるようになる。
【００４６】
このような各ブロック２０が、３つ並べられて本発明のソファー兼用ベッド１０が構成されることとなる。
【００４７】
次に、本発明のソファー兼用ベッド１０の使用方法について説明する。      
図１（Ａ）に示すように、本発明のソファー兼用ベッド１０は、通常の状態では、ベッドとして用いられる。また、図１（Ｂ）示すように、各ブロック２０の一方の弾性体３０を、他方の弾性体３０に対して、ほぼ９０度に折り曲げて、図示しない部屋の壁等に寄りかからせてソファーとして用いることもできる。
【００４８】
この際に、カバーに収容された各弾性体２０は、発泡ポリエチレン層３４と、発泡ポリウレタン層３３と、表面に多数の凹凸を有する形状に成形された凹凸シート層３２とを積層して構成されている。したがって、比較的硬めの材料である発泡ポリエチレン層３４によって、弾性体３０全体の剛性を高めることができ、その上に配置された柔らかな発泡ポリウレタン層３３によって、クッション性を確保することができるので、柔らかすぎず硬すぎず、適度なクッション性が得られるようになる。
【００４９】
更に発泡ポリウレタン層３３の上には、凹凸シート層３２が配置されているので、使用者との間に、空隙が形成され通気性も確保することができる。そのため、発汗等によるムレを防止し、寝心地を向上させることができ、いわゆる床ずれを予防可能となる。また、凹凸シート層３２の凸部分によって、指圧代用効果も期待できる。
【００５０】
以上のように、剛性、クッション性、通気性を兼ね備えた弾性体３０を、カバー４０に包み込んだので、形状がくずれにくくて座り心地も良好なソファーとして用いることができ、しかも、通気性が良くて寝心地も良好なベッドとしても用いることができ、従来にはない、ソファーとしてもベッドとしても好適なソファー兼用ベッド１０を得ることができる。
【００５１】
また、本発明のソファー兼用ベッド１０は、長手方向に３分割にされており、各ブロック２０は、それぞれ独立している。更に、各ブロック２０は多層構造となっており、従来、広く用いられているポリウレタン単層のベッドと比較して、軽くなっている。そのため、各ブロック２０は比較的軽く、その一つ一つについて、折り曲げ作業をしてソファーやテーブルにすればよいので、取り扱いが簡単で手軽に作業ができる。更に、部屋の隅などに片付けたり、押し入れにしまったりする場合にも、容易に取り扱って、手軽に作業もできるので、面倒になることもない。このように、使用者の好みや用途に応じて、適宜折り曲げ作業をおこなって、部屋のスペースを有効に活用することができる。また、本発明のソファー兼用ベッド１０は、構造が比較的シンプルで、構成部材も少ないので、製造コストの低廉化が図れる。
【００５２】
図４（Ａ）には、ソファー兼用ベッド１０の他の使用方法が示されている。すなわち、各ブロック２０の一方の弾性体３０を、完全に折り曲げることによって、テーブルとして用いることができる。この際、各弾性体３０が重なっているので高さが増加して、しかも比較的硬い材料である、発泡ポリエチレン層３４が外側に配置される。そのため、ある程度重い物を置いたり、書き物をしたりしても、問題なくテーブルとして使用できる。なおこの図の場合、ブロック２０は１個のみ示されているが、各ブロック２０を積み上げて、縦長のテーブルとしても用いることもできるし、横に並べて横長のテーブルとして使用することもできる。
【００５３】
図４（Ｂ）には、ソファー兼用ベッド１０の更に他の使用方法が示されている。すなわち、中央に配置されたブロック２０の一方の弾性体３０を、完全に折り曲げて、かつ、両側に配置されたブロック２０の一方の弾性体３０を、他方の弾性体３０に対して、ほぼ９０度に折り曲げて壁等に寄りかからせて、テーブル付き二人掛けソファーとしても用いてもよい。なお、これらの使用方法は、一例に過ぎず、この他にも各ブロック２０を自在に変形させて、様々な用途に用いることができる。
【実施例】
【００５４】
図１に示すような、ソファー兼用ベッド１０を製造した。
【００５５】
各弾性体３０は、次のような構成部材により構成した。
【００５６】
発泡ポリウレタンシート層３１は、厚さａ１０ｍｍ、幅６００ｍｍ、長さ６７０ｍｍで形成した。
【００５７】
凹凸シート層３２は、フェルト３２ａとして２００ｇ／ｍ２、厚さ５ｍｍのものを使用し、これに発泡ポリウレタンシート３２ｂを積層させて、加熱してプレス成形した。その際の凹凸シート層３２の凹形状の底部から、凸形状の頂部に至る高さｂは２０ｍｍ、幅６００ｍｍ、長さ６７０ｍｍであった。
【００５８】
発泡ポリウレタン層３３は、厚さｃ１５０ｍｍ、幅６００ｍｍ、長さ６７０ｍｍで形成した。なお、発泡ポリウレタン層３３は、密度が２２〜２４ｋｇ／ｍ３のものを使用した。
【００５９】
発泡ポリエチレン層３４は、厚さｄ２０ｍｍ、幅６００ｍｍ、長さ６７０ｍｍで形成した。
【００６０】
そして、発泡ポリウレタン層３３と発泡ポリエチレン層３４とを積層させ、２５ｍｍの内径ｅで、通気孔３５を貫通させて形成した。この通気孔３５は、１３０ｍｍの間隔ｆで配置され、横方向に４個、長さ方向に４個、合計で１６個形成した。
【００６１】
以上説明した、凹凸シート層３２、発泡ポリウレタン層３３、発泡ポリエチレン層３４を、接着材等で相互に接合し、凹凸シート層３２の上に、発泡ポリウレタンシート層３１を配置して各弾性体３０を得た。更に、弾性体３０をカバー３６で包み込んだ。
【００６２】
そして、カバー３６で包み込んだ弾性体３０を２つ用意し、それらを、カバー４０に包み込んで各ブロック２０を形成した。なお、これら各ブロック２０の角には、その厚さ方向に沿って、半径５０ｍｍで丸みを帯びた形状を施した。
【００６３】
これらの各ブロック２０を３つ並べて、本発明のソファー兼用ベッド１０を得た。その際のカバー４０を含めた寸法は、厚さ２００ｍｍ、幅１２００ｍｍ、長さ２０１０ｍｍであった。
【００６４】
このソファー兼用ベッド１０を実際に使用してみたところ、座り心地も寝心地も良好な適度なクッション性を体感することができ、ソファーとしてもベッドとして好適に利用できた。また、テーブルとしても十分に利用可能であった。更に、各ブロック２０は、５．２ｋｇと比較的軽く、楽に取り扱うことができ、収納の際にも手軽に作業をすることが可能であった。
【産業上の利用可能性】
【００６５】
本発明は、ソファーやベッドとして用いることができ、座り心地も寝心地もよい適度なクッション性を兼ね備え、しかも、取り扱いが簡単で、コストの低廉化も図ることができるソファー兼用ベッドとして好適に利用することができる。
【図面の簡単な説明】
【００６６】
【図１】本発明によるソファー兼用ベッドの一実施形態を示しており、（Ａ）はベッドとして使用する場合の斜視図、（Ｂ）はソファーとして使用する場合の斜視図である。
【図２】同ソファー兼用ベッドを構成する弾性体の分解斜視図である。
【図３】同ソファー兼用ベッドを構成する弾性体の断面図である。
【図４】同ソファー兼用ベッドの他の使用方法を示しており、（Ａ）はテーブルとして使用する場合の斜視図、（Ｂ）はテーブル付き二人掛けソファーとして使用する場合の斜視図である。
【符号の説明】
【００６７】
１０  ソファー兼用ベッド
２０  ブロック
３０  弾性体
３１  発泡ポリウレタンシート層
３２  凹凸シート層
３２ａ  フェルト
３２ｂ  発泡ポリウレタンシート
３３  発泡ポリウレタン層
３４  発泡ポリエチレン層
３５  通気孔
３６、４０  カバー
【図１】
2005318974.tif 000003
【図２】
2005318974.tif 000004
【図３】
2005318974.tif 000005
【図４】
2005318974.tif 000006